(57)【要約】      （修正有）【課題】タービンエーロフォイル、ガスタービン、およびタービンエーロフォイルの後縁を提供する。【解決手段】タービンエーロフォイルは、第２の冷却流路２１６に流体接続された第１の冷却流路２１２を有する冷却流路のセット２１０と、第１のピンバンク冷却装置２２４を有する第１のセクションであって、第１の冷却流路に流体接続された第１のセクション２２０と、第２のピンバンク冷却装置２３２を有する第２のセクション２３０であって、第２の冷却流路２１６に流体接続され、第１のセクション２２０の半径方向内側にある第２のセクション２３０と、第３のピンバンク冷却装置２４４を有する正圧側パネル２４０であって、第１の冷却流路２１２に流体接続された正圧側パネル２４０とを有する後縁を含むことができる。【選択図】図４
2017115874.tif 000002
【特許請求の範囲】
【請求項１】
第２の冷却流路（２１６、３１６）に流体接続された第１の冷却流路（２１２、３１２）を有する冷却流路（２１０、３１０）のセットと、
第１のピンバンク冷却装置（２２４）を有する第１のセクション（２２０、３２０）であって、前記第１のセクション（２２０）が、前記第１の冷却流路（２１２）に流体接続された第１のセクションと、
第２のピンバンク冷却装置（２３２、３３２）を有する第２のセクション（２３０、３３０）であって、前記第２の冷却流路（２１６、３１６）に流体接続され、前記第１のセクション（２２０、３２０）の半径方向内側にある第２のセクション（２３０、３３０）と、
第３のピンバンク冷却装置（２４４、３４４）を有する正圧側パネル（２４０、３４０）であって、前記第１の冷却流路（２１２、３１２）に流体接続された正圧側パネル（２４０、３４０）と
を有する後縁（１５８）
を備えるタービンエーロフォイル（１２２）。
【請求項２】
前記第２のセクション（２３０、３３０）を前記第２の冷却流路（２１６、３１６）に流体接続する交差穴（２３６）の第１のセットをさらに備える、請求項１記載のタービンエーロフォイル（１２２）。
【請求項３】
交差穴（２３６）の前記第１のセットが、前記タービンエーロフォイル（１２２）の正圧側（１５２、２０２、３０２、４０２）壁に向かって角度が付けられている、請求項２記載のタービンエーロフォイル（１２２）。
【請求項４】
隆起特徴（２３８）の第１のセットをさらに備え、隆起特徴（２３８）の前記第１のセットの中の各隆起特徴が、交差穴（２３６）の前記第１のセットの中の交差穴に一致し、隆起特徴（２３８）の前記第１のセットの中の各隆起特徴が、前記タービンエーロフォイル（１２２）の負圧側（１５４、２０４、３０４、４０４）壁に向かって延在する、請求項２記載のタービンエーロフォイル（１２２）。
【請求項５】
前記第２のセクション（３３０）の半径方向内側の第３のセクション（３５０）をさらに備え、前記第３のセクション（３５０）が、第４のピンバンク冷却装置（３５６）を含み、前記第２の冷却流路（２１６、３１６）に流体接続された、請求項１記載のタービンエーロフォイル（１２２）。
【請求項６】
前記第３のセクション（３５０）を前記第２の冷却流路（２１６、３１６）に流体接続する交差穴（２３６）の第２のセットをさらに備える、請求項５記載のタービンエーロフォイル（１２２）。
【請求項７】
交差穴（２３６）の前記第２のセットが、前記タービンエーロフォイル（１２２）の正圧側（１５２、２０２、３０２、４０２）壁に対して角度が付けられている、請求項６記載のタービンエーロフォイル（１２２）。
【請求項８】
隆起特徴（２３８）の第２のセットをさらに備え、隆起特徴（２３８）の前記第２のセットの中の各隆起特徴が、交差穴（２３６）の前記第２のセットの中の交差穴に一致し、隆起特徴（２３８）の前記第２のセットの中の各隆起特徴が、前記タービンエーロフォイル（１２２）の負圧側（１５４、２０４、３０４、４０４）壁に向かって延在する、請求項６記載のタービンエーロフォイル（１２２）。
【請求項９】
前記正圧側パネル（２４０、３４０）の前記軸方向外側端部（２６２）に支持物（２５０）をさらに備える、請求項１記載のタービンエーロフォイル（１２２）。
【請求項１０】
タービンセクション（１０８）と、
前記タービンセクション（１０８）の中のエーロフォイル（１２２）とを備え、前記エーロフォイル（１２２）は、
第２の冷却流路（２１６、３１６）に流体接続された第１の冷却流路（２１２、３１２）を有する冷却流路のセット（２１０、３１０）と、
第１のピンバンク冷却装置（２２４、３２４）を有する第１のセクション（２２０、３２０）であって、前記第１の冷却流路（２１２、３１２）に流体接続された第１のセクション（２２０、３２０）と、
第２のピンバンク冷却装置（３３２）を有する第２のセクション（２３０、３３０）であって、前記第２の冷却流路（２１６、３１６）に流体接続され、前記第１のセクション（２２０、３２０）の半径方向内側にある第２のセクション（２３０、３３０）と、
第３のピンバンク冷却装置（２２４、３２４）を有する正圧側パネル（２４０、３４０）であって、前記正圧側（１５２、２０２、３０２、４０２）パネルが前記第１の冷却流路（２１２、３１２）に流体接続された正圧側パネル（２４０、３４０）と
を有する後縁（１５８）を含む、ガスタービン（１００）。
【請求項１１】
前記第２のセクション（２３０、３３０）を前記第２の冷却流路（２１６、３１６）に流体接続する交差穴（２３６）の第１のセットをさらに備える、請求項１０記載のガスタービン（１００）。
【請求項１２】
交差穴（２３６）の前記第１のセットが、前記タービンエーロフォイル（１２２）の正圧側（１５２、２０２、３０２、４０２）壁に向かって角度が付けられている、請求項１１記載のガスタービン（１００）。
【請求項１３】
隆起特徴（２３８）の第１のセットをさらに備え、隆起特徴（２３８）の前記第１のセットの中の各隆起特徴が、交差穴（２３６）の前記第１のセットの中の交差穴に一致し、隆起特徴（２３８）の前記第１のセットの中の各隆起特徴が、前記タービンエーロフォイル（１２２）の負圧側（１５４、２０４、３０４、４０４）壁に向かって延在する隆起特徴（２３８）の第１のセットをさらに備える、請求項１１記載のガスタービン（１００）。
【請求項１４】
前記第２のセクション（２３０、３３０）の半径方向内側の第３のセクション（３５０）をさらに備え、前記第３のセクション（３５０）が、第４のピンバンク冷却装置（３５６）を含み、前記第２の冷却流路（２１６、３１６）に流体接続された、請求項１０記載のガスタービン（１００）。
【請求項１５】
前記第３のセクション（３５０）を前記第２の冷却流路（２１６、３１６）に流体接続する交差穴（２３６）の第２のセットをさらに備える、請求項１４記載のガスタービン（１００）。
【請求項１６】
交差穴（２３６）の前記第２のセットが、前記タービンエーロフォイル（１２２）の正圧側（１５２、２０２、３０２、４０２）壁に対して角度が付けられている、請求項１４記載のガスタービン（１００）。
【請求項１７】
隆起特徴（２３８）の第２のセットをさらに備え、隆起特徴（２３８）の前記第２のセットの中の各隆起特徴が、交差穴（２３６）の前記第２のセットの中の交差穴に一致し、隆起特徴（２３８）の前記第２のセットの中の各隆起特徴が、前記タービンエーロフォイル（１２２）の負圧側（１５４、２０４、３０４、４０４）壁に向かって延在する、請求項１４記載のガスタービン（１００）。
【請求項１８】
前記正圧側（１５２、２０２、３０２、４０２）パネルが、交差穴（２３６）の第３のセットを通じて前記第１の冷却流路（２１２、３１２）に流動的に接続される、請求項１０記載のガスタービン（１００）。
【請求項１９】
第２の冷却流路（４１６）に流体接続された第１の冷却流路（４１２）を有する冷却流路（４１０）のセットと、
第１のピンバンク冷却装置（４２４）を有する第１のセクション（４２０）であって、前記第２の冷却流路（４１６）に流体接続された第１のセクション（４２０）と、
第２のピンバンク冷却装置（４４４）を有する正圧側パネル（４４０）であって、前記第１の冷却流路（４１２）に流体接続された正圧側パネル（４４０）と
を有する後縁（１５８）
を備えるタービンエーロフォイル（１２２）。
【請求項２０】
前記正圧側パネル（４４０）が、交差穴（２３６）の第３のセットを通じて前記第１の冷却流路（４１２）に流動的に接続される、請求項１９記載のタービンエーロフォイル（１２２）。
【発明の詳細な説明】
【技術分野】
【０００１】
本明細書に開示される主題は、ターボ機械に関する。より詳細には、本明細書に開示される主題は、ガスタービンおよび／またはスチームタービンなどのターボ機械内部の構成要素に関する。
【背景技術】
【０００２】
ガスタービンシステムは、発電などの分野で広く利用されるターボ機械の１つの例である。従来型のガスタービンシステムは、圧縮機セクション、燃焼器セクション、およびタービンセクションを含む。ガスタービンシステムの作動中、システムのさまざまな構成要素は、高温の流れに曝され、高温の流れが、構成要素を故障させる可能性がある。一般的に、流れが高温であるほど、ガスタービンシステムの性能、効率、および出力は高まるので、ガスタービンシステムが高温で作動することができるように、高温の流れに曝される構成要素を冷却することが望ましいものとなり得る。
【０００３】
ガスタービンシステムのタービンブレードは通常、内部冷却流路の複雑な迷路を含む。冷却流路は、ガスタービンシステムの圧縮機から空気を受け取り、空気を内部冷却流路の中に送ってタービンブレードを冷却する。特にブレードの後縁では、冷温架橋構造が、使用されてきた。これらの構造は、後縁開口または正圧側放出開口を通じて空気を排出する。冷温架橋構造物が冷却する間、それらは結果的に、空気を非効率的に使用することになる。例えば、正圧側を十分に冷却することができるが、負圧側は過剰に冷却される。さらに、ブレードの半径方向外側先端部を冷却することは、特に困難であり、そこは通常、後縁の中の最高温領域の１つである。
【先行技術文献】
【特許文献】
【０００４】
【特許文献１】米国特許出願公開第２０１２／０２６９６４８号明細書
【発明の概要】
【０００５】
本開示の第１の態様は、タービンエーロフォイルを提供する。タービンエーロフォイルは、第２の冷却流路に流体接続された第１の冷却流路を有する冷却流路のセットと、第１のピンバンク冷却装置を有する第１のセクションであって、第１の冷却流路に流体接続された第１のセクションと、第２のピンバンク冷却装置を有する第２のセクションであって、第２の冷却流路に流体接続され、第１のセクションの半径方向内側にある第２のセクションと、第３のピンバンク冷却装置を有する正圧側パネルであって、第１の冷却流路に流体接続された正圧側パネルとを有する、後縁を含むことができる。
【０００６】
本開示の第２の態様は、ガスタービンを提供する。ガスタービンは、タービンセクションと、タービンセクションの中のエーロフォイルとを含むことができ、エーロフォイルは、第２の冷却流路に流体接続された第１の冷却流路を有する冷却流路のセットと、第１のピンバンク冷却装置を有する第１のセクションであって、第１の冷却流路に流体接続された第１のセクションと、第２のピンバンク冷却装置を有する第２のセクションであって、第２の冷却流路に流体接続され、第１のセクションの半径方向内側にある第２のセクションと、第３のピンバンク冷却装置を有する正圧側パネルであって、第１の冷却流路に流体接続された正圧側パネルとを有する、後縁を含む。
【０００７】
本開示の第３の態様は、タービンエーロフォイルの後縁を提供する。後縁は、第２の冷却流路に流体接続された第１の冷却流路を有する冷却流路のセットと、第１のピンバンク冷却装置を有する第１のセクションであって、第２の冷却流路に流体接続された第１のセクションと、第２のピンバンク冷却装置を有する正圧側パネルであって、第１の冷却流路に流体接続された正圧側パネルとを有する、後縁を含む。
【０００８】
本開示の例証的な態様は、本明細書に記載される問題および／または論じられていない他の問題を解決することが意図される。
【０００９】
本開示のこれらおよび他の特徴は、開示のさまざまな態様についての以下の詳細説明を、開示のさまざまな実施形態を描写する添付図面と関連付けながら読むことでより容易に理解されよう。
【図面の簡単な説明】
【００１０】
【図１】例示的燃焼タービンエンジンの概略図である。
【図２】図１の燃焼タービンエンジンと共に使用され得る３段階ノズルを備えた例示的なガスタービン組立体の断面図である。
【図３】例証的な従来型のターボ機械ブレードの拡大斜視図である。
【図４】本開示の実施形態による、エーロフォイルの後縁内部の冷却回路の正圧側図である。
【図５】本開示の実施形態による、エーロフォイルの後縁内部の冷却回路の負圧側図を示す。
【図６】本開示の実施形態による、図４に示す冷却回路の線Ａ−Ａに沿った断面図である。
【図７】本開示の別の実施形態による、図４に示す冷却回路の線Ａ−Ａに沿った断面図である。
【図８】本開示の別の実施形態による、エーロフォイルの後縁内部の冷却回路の正圧側図である。
【図９】本開示の実施形態による、後縁内部の冷却回路の正圧側パネルの一部の斜視図である。
【図１０】本開示の別の実施形態による、後縁内部の冷却回路の正圧側パネルの一部の斜視図である。
【図１１】本開示の別の実施形態による、エーロフォイルの後縁内部の冷却回路の正圧側図である。
【図１２】本開示の別の実施形態による、エーロフォイルの後縁内部の冷却回路の正圧側図である。
【発明を実施するための形態】
【００１１】
図面は原寸に比例していないことに留意されたい。図面は、本開示の実施形態の典型的態様だけを描写することが意図されており、したがって、本開示の範囲を制限するものとみなされるべきではない。図面では、類似の番号付けは、図面間の類似の要素を表す。
【００１２】
本開示の態様は、後縁冷却回路を備えたタービンエーロフォイルを提供する。本開示の態様による後縁は、冷却流路のセットと、ピンバンク冷却装置を有する後縁の第１のセクションと、別のピンバンク冷却装置を有する後縁の第２のセクションと、正圧側パネルとを含むことができる。いくつかの実施形態では、第１のセクションは、後縁の半径方向外側端部にあることができ、冷却流路のセットの中の第１の冷却流路に流体接続されることができる。このようにして、冷却流体は、先に後縁の半径方向外側先端部に提供され、結果的に、より冷たい流体が、通常エーロフォイルの最も高温な部分の１つである後縁の半径方向外側先端部に向かって送られることになる。さらに、正圧側パネルは、エーロフォイルの後縁の正圧側と負圧側との間で、熱負荷の平衡を保つ。このようにして、本開示の態様は、エーロフォイルの後縁の中で、冷却流体が最も必要とされる所に冷却流体の作動方向を提供して、冷却流体の効率的な利用をもたらし、後縁を冷却するのに必要とされる冷却流体の全体量を削減する。
【００１３】
以下の説明では、その一部を構成しており、本教示を実行することができる特定の実施形態が実例として示される添付図面を参照する。これらの実施形態は、当業者が本教示を実行することができるように十分詳細に記載されており、他の実施形態を利用することもでき、本教示の範囲を逸脱しない範囲で変更を加えてもよいことを理解されたい。したがって、以下の記述は、例示的なものに過ぎない。
【００１４】
図１は、ガスタービンシステム１００の形の例証的なターボ機械の概略図である。システム１００は、圧縮機１０２および燃焼器１０４を含む。燃焼器１０４は、燃焼領域１０５および燃焼ノズル組立体１０６を含む。システム１００は、タービン１０８および圧縮機／タービン共通シャフト１１０（ロータ１１０と呼ばれることもある）をさらに含む。１つの実施形態では、システム１００は、９ＦＢエンジンと呼ばれることもあり、Ｇｅｎｅｒａｌ  Ｅｌｅｃｔｒｉｃ  Ｃｏｍｐａｎｙ，  Ｇｒｅｅｎｖｉｌｌｅ，  Ｓ．Ｃ．から市販されるＭＳ７００１ＦＢエンジンである。開示の実施形態は、何らかの１つの特殊ガスタービンエンジンに限定されるわけではなく、例えばＧｅｎｅｒａｌ  Ｅｌｅｃｔｒｉｃ  Ｃｏｍｐａｎｙ製のＭＳ７００１ＦＡ（７ＦＡ）、ＭＳ９００１ＦＡ（９ＦＡ）エンジンモデルを含む、他のエンジンに関連して実施することもできる。さらに、開示の教示は、ガスタービンに限定されるわけではなく、蒸気タービン、ジェットエンジン、圧縮機などの任意の種類のターボ機械にも適用することができる。本明細書において、用語「軸方向の」、「半径方向の」「周辺の」は、参照構造としてロータ１１０と共に使用される。
【００１５】
作動中に、空気は、圧縮機１０２を通って流れ、圧縮空気は、燃焼器１０４に供給される。具体的には、圧縮空気は、燃焼器１０４に不可欠な燃焼ノズル組立体１０６に供給される。組立体１０６は、燃焼領域１０５と流体連通している。燃焼ノズル組立体１０６は、さらに燃料源（図１に示さず）とも流体連通しており燃焼領域１０５に燃料および空気を運ぶ。燃焼器１０４は、燃料を点火および燃焼する。燃焼器１０４は、それに関してガス流熱エネルギーが機械的回転エネルギーに変換されるタービン１０８と流体連通している。タービン１０８は、ロータ１１０に回転可能に連結されており、ロータ１１０を駆動する。圧縮機１０２も、シャフト１１０に回転可能に連結されている。例示する実施形態では、複数の燃焼器１０４および燃焼ノズル組立体１０６がある。
【００１６】
図２は、図１のガスタービンシステム１００と共に使用することができる３段階タービンを備えた例証的なタービン組立体１０８の断面説明図である。タービン組立体１０８は、ベーン小組立体１１２を含む。ベーン小組立体１１２は、半径方向外側プラットフォーム１１４および半径方向内側プラットフォーム１１６によってタービン組立体１０８の中に保持される。タービン組立体１０８は、回転ブレード１１９をさらに含み、回転ブレード１１９は、シャンク１２４によってロータ１１０に保持されるエーロフォイル１２２を含むことができる。本開示の教示は通常、回転ブレード１１９に適用されるが、ベーン小組立体１１２および／または回転ブレード１１９に適用することもでき、それらは、まとめて「ターボ機械ブレード」と称される。
【００１７】
図３は、例証的なターボ機械ブレード１２０（ここでは回転ブレードとして説明される）の斜視図である。ターボ機械ブレード１２０は、エーロフォイル１２２およびシャンク１２４を含むことができる。シャンク１２４は、プラットフォーム１２６によってエーロフォイル１２２に連結される。シャンク１２４は、１対の対向するカバープレート１３０、１３２を含む。矢印ＨＧＰは、高温ガス路の中の流れ方向を示す。ＨＧＰ方向によって示されるように、カバープレート１３０は、ＨＧＰの方に向く上流側カバープレートであり、カバープレート１３２は、ＨＧＰから離れる方に向く下流側カバープレートである。１つまたは複数の天使翼１３４は、各カバープレート１３０、１３２から延在することができる。ターボ機械ブレード１３０が使用される方法に応じて、ターボ機械のロータ１１０（図１〜図２）とケーシングのどちらかへのさまざまな形態の接続部が、適用され得る。ブレードが、回転ブレードである図３では、ダブテール１３６が、ターボ機械ブレード１２０をランナ（図示せず）に連結するように設けられ得る。各ターボ機械ブレードは、それらがロータ１１０周囲の円周方向に向くように（図１および図２）名付けられた、第１の円周面１３８および第２の対向する円周面１３９を含むことができる。プラットフォームシールピン１４０は、軸方向に延在するプラットフォームピン溝１４２の中に着座させることができ、１対の半径方向シールピン１４４が、それぞれのカバープレート１３０、１３２、例えば第２の円周面１３９の中の対応する半径方向シールピン溝１４６の中に配置され得る。
【００１８】
エーロフォイル１２２は、正圧側１５２と、正圧側１５２とは反対側の負圧側１５４（この図では障害物で隠れている）とを含むことができる。ブレード１２０は、正圧側１５２と負圧側１５４との間にわたる前縁１５６と、前縁１５６とは反対側で、正圧側１５２と負圧側１５４との間にわたる後縁１５８とをさらに含むことができる。
【００１９】
図４から図５は、エーロフォイル１２２（図３）の後縁１５８（図３）の内側コア冷却回路２００を示す。より詳細には、図４〜図５は、後縁１５８（図３）を製造するのに使用されるコアを示す。本明細書で論じるように、冷却回路２００は正圧側２０２、負圧側２０４、および対向する軸方向端部２０６、２０８を含むことができる。図４は、正圧側２０２に向いた冷却回路２００の図を示す。図５は、負圧側２０４に向いた冷却回路２００の図を示す。軸方向上流端部２０６は、最も近い前縁１５６（図３）であり得る。軸方向下流端部２０８は、最も遠い前縁１５６（図３）であり得、本明細書で後述するように、出口を含むことができる。冷却回路２００は、例えば鋳造、鍛造、３次元印刷などによって形成されることができ、鋳込の冷却回路２００を使用する場合、前縁１５６（図３）と一体化して形成されてもよく、または別個の構成要素として形成されて、その後、例えば溶接、鑞付け、接着、または他の連結機構によって、前縁１５６（図３）に接合されてもよい。
【００２０】
冷却回路２００はさらに、冷却流路２１０（例えば、蛇行冷却回路）、セクション２２０、セクション２３０、および正圧側パネル２４０のセットを含むことができる。冷却流路２１０のセットは、３つの冷却流路２１２、２１４、２１６を含む、例えば３路式蛇行冷却回路として示される。しかしながら、開示の態様から逸脱しない範囲で、任意の数の冷却流路を設けることができることを理解されたい。例えば、冷却流路２１０のセットは、いくつかの実施形態では、２つの冷却流路を含むだけの、例えば２路式蛇行冷却回路であってもよい。別の例では、冷却流路２１０のセットは、４つの冷却流路を含む、例えば４路式蛇行冷却回路であってもよい。冷却流路２１２、２１４、２１６は、後縁１５８（図３）の負圧側２０４で、軸方向上流端部２０６に沿って半径方向に冷却流体２１８を供給することができる（破線矢印で示される）。いくつかの実施形態では、冷却流体２１８は、空気を含むことができる。他の実施形態では、冷却流体は、後縁１５８（図３）を冷却するように構成される、何らかの別の種類の液体またはガスを含むことができる。冷却流路２１２、２１４、２１６は、互いに流体接続されることができる。すなわち、冷却流路２１２は、冷却流体２１８を前縁１５６（図３）の冷却流路（図示せず）から受け取ることができる。あるいは、冷却流路２１２、２１４、２１６は、エーロフォイル１２２（図３）に冷却流体２１８を供給するように構成される何らかの他の源、例えば圧縮機１０２（図１）から冷却流体２１８を受け取ることができる。
【００２１】
さらに図４〜図５を参照すると、後縁１５８（図３）の冷却回路２００は、セクション２２０、２３０をさらに含むことができる。セクション２３０は、セクション２２０の半径方向内側に配置されることができる。セクション２３０は、壁（またはリブ）２２２によってセクション２２０から切り離されることができる。セクション２２０は、ピンバンク冷却装置２２４を含むことができる。セクション２２０は、冷却流路２１２に流体接続されることができる。セクション２２０は、半径方向長さＸ１を有することができ、セクション２３０は、半径方向長さＸ２を有することができる。いくつかの実施形態では、Ｘ１は、Ｘ２より実質的に短くてもよい。本明細書で使用される場合、「実質的に」は、大体は、大部分、全体的にと指示されること、または本発明と同じ技術的な便益を提供するいくらかの僅かな逸れに言及するものである。好適な実施形態では、Ｘ２は、Ｘ１とＸ２の合計によって定められた全長の約５％から約２０％までの範囲であり得る。セクション２３０は、ピンバンク冷却装置２３２を含むことができる。セクション２３０は、冷却流路２１６に流体接続されることができる。しかしながら、冷却回路２００が、図４〜図５に示すものより多いまたは少ない冷却流路を含む実施形態において、セクション２２０、２３０は、本明細書に記載されるような本開示の態様を逸脱しない範囲で、他の冷却流路に流体接続され得ることを理解されたい。ピンバンク冷却装置２２４、２３２はそれぞれが、表面積を増やして、伝熱を促進するために、冷却回路２００の正圧側２０２から負圧側２０４まで延在する、間隔を置いて配置される複数のピンを含むことができる。本開示はピンバンク冷却装置に関して記載されているが、表面積を増やす、および／または伝熱を促進するために流れ場を妨げる任意の他の手段が、開示の態様を逸脱しない範囲で使用され得ることを理解されたい。いくつかの実施形態では、セクション２２０および２３０は、従来型の後縁スロットより長い長さを含むことができる。すなわち、セクション２２０および２３０はそれぞれ、約１．７７８ｃｍ（０．７５インチ）から３．８１ｃｍ（１．５インチ）までの長さＬ１、Ｌ２（冷却流路２１６から冷却回路２００の端部まで測定された）を含むことができる。本明細書で使用される場合、「約」は、例えば表示値の１０％以内の値を含むことが意図されている。さらに、ピンバンク冷却装置２２４、２３２は、セクション２２０、２３０の大多数の長さＬ１、Ｌ２の間に延在することができる。いくつかの実施形態では、ピンバンク冷却装置２２４、２３４は、冷却回路２００の軸方向下流端部２０８からの距離が１．２７ｃｍ（０．５インチ）未満の地点まで延在することができる。セクション２２０、２３０は、そこから冷却流体２１８が、後縁１５８（図３）から放出され得る出口２２６、２３４をさらに含むことができる。
【００２２】
いくつかの実施形態では、後縁１５８（図３）の冷却回路２００は、セクション２３０を冷却流路２１６に流体接続する交差穴２３６のセットを含むことができる。図６は、本開示の１つの実施形態による後縁１５８（図３）の断面を示す。この実施形態では、交差穴２３６が冷却回路２１６からセクション２３０まで延在するとき、交差穴２３６のセットは、正圧側２０２に向かって角度が付けられていることができる。例えば、交差穴２３６は、鋭角αを有することができ、その基準線は、正圧側２０２に対して垂直である。さらに交差穴２３６に、正圧側２０２に向かって角度を付けることで、正圧側２０２での冷却を強化することができ、正圧側２０２は通常、負圧側２０４より高温である。図７は、本開示の別の実施形態による後縁１５８（図３）の断面を示す。この実施形態では、冷却回路２００は、負圧側２０４に向かって延在する隆起特徴２３８のセットをさらに含むことができる。すなわち、隆起特徴２３８のセットの中の各隆起特徴は、交差穴２３６のセットの中の各交差穴に一致することができる。隆起特徴２３８のセットは、表面積を増やし、さらに伝熱および冷却を促進する。いくつかの実施形態では、隆起特徴２３８は、エーロフォイル全体に沿って連続的に半径方向に延在する単一の隆起特徴を含むことができる。別の実施形態では、セクション２３０は、交差穴２３６を通じて冷却流路２１６に流体接続されるのとは対照的に、図８に示すように冷却流路２１６に開口していることができる。この実施形態は、より頑強なコアを提供し、製造を容易にすることができる。
【００２３】
図４に戻って参照すると、冷却回路２００は、正圧側パネル２４０をさらに含むことができる。正圧側パネル２４０は、後縁１５８（図３）の全体部分に沿って半径方向に延在することができる。他の実施形態では、正圧側パネル２４０は、後縁１５８（図３）の一部だけに沿って半径方向に延在することができる。正圧側パネル２４０は、別のピンバンク冷却装置２４４を含むことができる。ピンバンク冷却装置２４４は、表面積を増やして、伝熱を促進するために、間隔を置いて配置される複数のピンを含むことができる。正圧側パネル２４０は、冷却流路２１２に流体接続されることができる。図９〜図１０に示すように、正圧側パネル２４０は、さまざまな方法で冷却流路２１２に流体接続されることができる。１つの実施形態では、正圧側パネル２４０は、図９に示すように交差穴２４６を通じて冷却流路２１２に流体接続されることができる。別の実施形態では、正圧側パネル２４０は、図１０に示すように冷却流路２１２に開口していることができる。さらに、正圧側パネル２４０は、冷却流体２１８を後縁２００の正圧側２０２に沿って放出する出口２４８を含むことができる。さらに、図１０に示すように、支持物２５０が、正圧側パネル２４０の軸方向下流端部２５２に設けられてもよい。支持物２５０は、正圧側パネル２４０に沿って半径方向に延在して、正圧側パネル２４０を安定させることができる。あるいは、支持物２５０は、正圧側パネル２４０を安定させるために、正圧側パネル２４０に沿って半径方向に延在する、間隔を置いて配置される複数の支持物を含むことができる。支持物２５０は、後縁１５８（図３）を作成するのに使用されるコアの中に一体化して製造されることができ、後縁１５８（図３）を作成するのに使用される金属でできていてもよい。さらに、支持物２５０は、図９に示す実施形態と共に使用することができることを理解されたい。
【００２４】
図４〜図５に戻って参照すると、冷却流体２１８は、源（図示せず）または前縁１５６（図３）の中の冷却回路（図示せず）から供給されて、後縁１５８（図３）の半径方向外側端部２６２に向かって冷却流路２１２に沿って半径方向に移動することができる。冷却流体２１８が冷却流路２１２に沿って移動する際に、いくらかの冷却流体２１８は、図９〜図１０に示すように、正圧側パネル２４０が冷却流路２１２に流体接続されていることに因って、正圧側パネル２４０に入ることができる。冷却流体２１８は、出口２４８を通って正圧側パネル２４０から逃げることができる。冷却流体２１８の残りの部分は、半径方向外側端部２６２に到達することができる。ここで、冷却流体２１８は、セクション２２０に入る、または冷却流路２１４を通って半径方向内部方向に再方向付けされる。冷却流体２１８がセクション２２０に入る際に、冷却流体２１８は、ピンバンク冷却装置２２４を通過して、出口２２６を通って放出される。このようにして、セクション２２０は、より冷温の冷却流体２１８が（冷却流体２１８が冷却流体２１８の源（図示せず）により近いおかげで）、後縁２００の軸方向下流端部２０８の半径方向外側端部２６２に移動することを可能にする。冷却流路２１４からの残りの冷却流体２１８は、次いで、冷却流路２１６の中に再方向付けされる。冷却流体２１８が冷却流路２１６に沿って移動する際に、冷却流体２１８は、図４〜図５に示すように、すなわち交差穴を通って、または図８に示すように、すなわちセクション２３０に開口していてセクション２３０に入ることができる。冷却流体２１８がセクション２３０を入る際に、冷却流体２１８は、ピンバンク冷却装置２３２を通過して、出口２３４を通って放出される。
【００２５】
図１１は、本開示の別の実施形態による、後縁１５８（図３）の冷却回路３００の正圧側図を示す。より詳細には、図１１は、本開示の別の実施形態による後縁１５８（図３）を製造するのに使用されるコアを示す。この実施形態では、冷却回路３００は、後縁１５８（図３）の軸方向上流端部３０６に沿って延在するピンバンク冷却装置を有する３つのセクションを含むことができる。冷却回路３００は、冷却流路３１０、セクション３２０、３３０、３５０、および正圧側パネル３４０のセットを含むことができる。図４〜図５を参照しながら説明したように、冷却流路３１０のセットは、冷却流路３１２、冷却流路３１４、および冷却流路３１６を含むことができる。しかしながら、冷却流路のセットが、本開示の態様を逸脱しない範囲で、任意の他の数の冷却流路を含むことができることを理解されたい。冷却流路３１２、３１４、３１６は、冷却流体３１８（破線矢印によって示される）を、負圧側３０４で軸方向上流端部３０６に沿って半径方向に供給することができる。冷却流路３１２、３１４、３１６は、互いに流体接続されることができる。すなわち、冷却流路３１２は、冷却流体３１８を、前縁１５６（図３）の冷却流路（図示せず）から、または冷却流体を供給するように構成される別の源（例えば圧縮機１０２（図１））から受け取ることができる。
【００２６】
後縁１５８（図３）の冷却回路３００は、セクション３２０、３３０、３５０をさらに含むことができる。セクション３３０は、セクション３２０の半径方向内側に配置されることができる。セクション３３０は、壁（またはリブ）３２２によってセクション３２０から切り離されることができる。セクション３５０は、セクション３３０の半径方向内側に配置されることができる。セクション３５０は、壁（またはリブ）３５４によってセクション３３０から切り離されることができる。この実施形態は、後縁１５８（図３）の根元でより高い内圧を保持することを可能にする。セクション３２０は、ピンバンク冷却装置３２４を含むことができる。セクション３２０は、冷却流路３１２に流体接続されることができる。セクション３３０は、ピンバンク冷却装置３３２を含むことができる。セクション３３０、３５０はそれぞれ、冷却流路３１６に流体接続されることができる。セクション３５０は、ピンバンク冷却装置３５６をさらに含むことができる。しかしながら、冷却回路３００が、図１１に示すものより多いまたは少ない冷却流路を含む実施形態において、セクション３２０、３３０、３５０は、本明細書に記載されるような本開示の態様を逸脱しない範囲で、他の冷却流路に流体接続され得ることを理解されたい。さらに、セクション３３０、３５０は、交差穴２３６（図４〜図５）を通じて冷却流路３１６に流体接続されることができる。ピンバンク冷却装置３２４、３３２、３５６はそれぞれが、表面積を増やして、伝熱を促進するために、正圧側３０２から負圧側３０４まで延在する、間隔を置いて配置される複数のピンを含むことができる。セクション３２０、３３０、３５０は、そこから冷却流体３１８が、後縁１５８（図３）から放出され得る出口３２６、３３４、３５８を含むことができる。
【００２７】
後縁１５８（図３）の冷却回路３００は、正圧側パネル３４０をさらに含むことができる。正圧側パネル３４０は、後縁１５８（図３）の全体部分に沿って半径方向に延在することができる。他の実施形態では、正圧側パネル３４０は、後縁１５８（図３）の一部だけに沿って半径方向に延在することができる。正圧側パネル３４０は、別のピンバンク冷却装置３４４を含むことができる。ピンバンク冷却装置３４４は、表面積を増やして、伝熱を促進するために、間隔を置いて配置される複数のピンを含むことができる。正圧側パネル３４０は、冷却流路３１２に流体接続されることができる。正圧側パネル３４０は、例えば冷却流路３１２に開口している、または交差穴２４６を通じて、図９〜図１０に示すように冷却流路３１２に流体接続されることができる。さらに、正圧側パネル３４０は、正圧側３０２に沿って冷却流体３１８を放出する出口３４８を含むことができる。さらなる実施形態では、正圧側パネル３４０は、支持物２５０（図１０）を含むことができる。
【００２８】
図１２は、本開示の別の実施形態を示し、本開示の別の実施形態による後縁１５８（図３）の冷却回路４００の正圧側図を示す。より詳細には、図１２は、本開示の別の実施形態による後縁１５８（図３）を製造するのに使用されるコアを示す。この実施形態では、冷却回路４００は、後縁４００の軸方向下流端部４０８に沿って延在するピンバンク冷却装置を有する１つのセクションだけを含むことができる。後縁４００は、冷却流路４１０、セクション４２０、および正圧側パネル４４０のセットを含むことができる。冷却流路３１０のセットは、図４〜図５を参照しながら説明したように、冷却流路４１２、冷却流路４１４、および冷却流路４１６を含むことができる。しかしながら、冷却流路のセットが、開示の態様を逸脱しない範囲で、任意の他の数の冷却流路を含むことができることを理解されたい。冷却流路４１２、４１４、４１６は、冷却流体４１８（破線矢印によって示される）を、負圧側４０４で軸方向上流端部４０６に沿って半径方向に供給することができる。冷却流路４１２、４１４、４１６は、互いに流体接続されることができる。すなわち、冷却流路４１２は、冷却流体４１８を前縁１５６（図３）の冷却流路（図示せず）から受け取ることができる。あるいは、冷却流路４１２、４１４、４１６は、冷却流体を供給するように構成される何らかの他の源、例えば圧縮機１０２（図１）から冷却流体を受け取ることができる。
【００２９】
冷却回路４００は、セクション４２０をさらに含むことができる。セクション４２０は、後縁１５８（図３）の軸方向下流端部４０８の全体部分に沿って半径方向に延在することができる。セクション４２０は、ピンバンク冷却装置４２４を含むことができる。セクション４２０は、冷却流路４１２に流体接続されることができる。しかしながら、冷却回路４００が、図１２に示すものより多いまたは少ない冷却流路を含む実施形態において、セクション４２０は、本明細書に記載されるような本開示の態様を逸脱しない範囲で、他の冷却流路に流体接続され得ることを理解されたい。ピンバンク冷却装置４２４は、表面積を増やして、伝熱を促進するために、正圧側４０２から負圧側４０４まで延在する、間隔を置いて配置される複数のピンを含むことができる。さらに、セクション４２０は、交差穴２３６（図４〜図５）を通じて冷却流路４１６に流体接続されることができる。セクション３４０は、そこから冷却流体４１８が、後縁４００から放出され得る出口４２６を含むことができる。この実施形態は、冷却流体４１８が、冷却回路４００の大部分を通って移動するので、冷却流体４１８が熱容量の実質的に全てまたは大部分を使用することを可能にする。
【００３０】
冷却回路４００は、正圧側パネル４４０をさらに含むことができる。正圧側パネル４４０は、後縁１５８（図３）の軸方向上流端部４０６の全体部分に沿って半径方向に延在することができる。他の実施形態では、正圧側パネル４４０は、後縁１５８（図３）の軸方向上流端部４０６の一部だけに沿って半径方向に延在することができる。正圧側パネル４４０は、別のピンバンク冷却装置４４４を含むことができる。ピンバンク冷却装置４４４は、表面積を増やして、伝熱を促進するために、間隔を置いて配置される複数のピンを含むことができる。正圧側パネル４４０は、冷却流路４１２に流体接続されることができる。正圧側パネル４４０は、例えば冷却流路４１２に開口している、または交差穴を通じて、図９〜図１０に示すように冷却流路４１２に流体接続されることができる。さらに、正圧側パネル４４０は、冷却流体４１８を正圧側４０２に沿って放出する出口４４８を含むことができる。さらなる実施形態では、正圧側パネル４４０は、支持物２５０（図１０）を含むことができる。
【００３１】
本明細書で使用される用語は、特定の実施形態を説明するためのものに過ぎず本開示を制限することを意図していない。本明細書で使用される場合、単数形「ａ」、「ａｎ」、および「ｔｈｅ」は、文脈が明らかに別途指示しない限り、複数形も含むことが意図されている。用語「備える（ｃｏｍｐｒｉｓｅ）」および／または「備えていること（ｃｏｍｐｒｉｓｉｎｇ）」は、この明細書で使用される場合には、記載された特徴、整数、段階、作動、要素、および／または構成要素の存在を特定するものであるが、１つまたは複数の他の特徴、整数、段階、作動、要素、構成要素、および／またはそのグループの存在または追加を排除するものではない。
【００３２】
下記の特許請求の範囲の中の対応する構造物、材料、行為、および全ての手段または段階プラス機能要素の等価物は、機能を具体的に請求される他の請求要素と組み合わせて実行するための任意の構造、材料、または行為を含むことが意図されている。本開示の記述は、例示および説明目的で提示されてきたが、網羅的であることは意図されていない、または開示した形の開示内容に限定することは意図されていない。当業者であれば、開示の範囲および精神を逸脱することのない多くの修正および変更が明らかであろう。実施形態が選択および記載されたのは、開示内容および実際の適用についての原則を最もうまく説明するため、かつ他の当業者が、想定される特定の用途に適するようにさまざまな修正を加えたさまざまな実施形態に関して本開示を理解することを可能にするためである。
【００３３】
最後に、代表的な実施態様を以下に示す。
［実施態様１］
第２の冷却流路（２１６、３１６）に流体接続された第１の冷却流路（２１２、３１２）を有する冷却流路（２１０、３１０）のセットと、
第１のピンバンク冷却装置（２２４）を有する第１のセクション（２２０、３２０）であって、前記第１のセクション（２２０）が、前記第１の冷却流路（２１２）に流体接続された、第１のセクションと、
第２のピンバンク冷却装置（２３２、３３２）を有する第２のセクション（２３０、３３０）であって、前記第２の冷却流路（２１６、３１６）に流体接続され、前記第１のセクション（２２０、３２０）の半径方向内側にある第２のセクション（２３０、３３０）と、
第３のピンバンク冷却装置（２４４、３４４）を有する正圧側パネル（２４０、３４０）であって、前記第１の冷却流路（２１２、３１２）に流体接続された正圧側パネル（２４０、３４０）と
を有する後縁（１５８）
を備えるタービンエーロフォイル（１２２）。
［実施態様２］
前記第２のセクション（２３０、３３０）を前記第２の冷却流路（２１６、３１６）に流体接続する交差穴（２３６）の第１のセットをさらに備える、実施態様１に記載のタービンエーロフォイル（１２２）。
［実施態様３］
交差穴（２３６）の前記第１のセットが、前記タービンエーロフォイル（１２２）の正圧側（１５２、２０２、３０２、４０２）壁に向かって角度が付けられている、実施態様２に記載のタービンエーロフォイル（１２２）。
［実施態様４］
隆起特徴（２３８）の第１のセットをさらに備え、隆起特徴（２３８）の前記第１のセットの中の各隆起特徴が、交差穴（２３６）の前記第１のセットの中の交差穴に一致し、隆起特徴（２３８）の前記第１のセットの中の各隆起特徴が、前記タービンエーロフォイル（１２２）の負圧側（１５４、２０４、３０４、４０４）壁に向かって延在する、実施態様２に記載のタービンエーロフォイル（１２２）。
［実施態様５］
前記第２のセクション（３３０）の半径方向内側の第３のセクション（３５０）をさらに備え、前記第３のセクション（３５０）が、第４のピンバンク冷却装置（３５６）を含み、前記第２の冷却流路（２１６、３１６）に流体接続された、実施態様１に記載のタービンエーロフォイル（１２２）。
［実施態様６］
前記第３のセクション（３５０）を前記第２の冷却流路（２１６、３１６）に流体接続する交差穴（２３６）の第２のセットをさらに備える、実施態様５に記載のタービンエーロフォイル（１２２）。
［実施態様７］
交差穴（２３６）の前記第２のセットが、前記タービンエーロフォイル（１２２）の正圧側（１５２、２０２、３０２、４０２）壁に対して角度が付けられている、実施態様６に記載のタービンエーロフォイル（１２２）。
［実施態様８］
隆起特徴（２３８）の第２のセットをさらに備え、隆起特徴（２３８）の前記第２のセットの中の各隆起特徴が、交差穴（２３６）の前記第２のセットの中の交差穴に一致し、隆起特徴（２３８）の前記第２のセットの中の各隆起特徴が、前記タービンエーロフォイル（１２２）の負圧側（１５４、２０４、３０４、４０４）壁に向かって延在する、実施態様６に記載のタービンエーロフォイル（１２２）。
［実施態様９］
前記正圧側パネル（２４０、３４０）の前記軸方向外側端部（２６２）に支持物（２５０）をさらに備える、実施態様１に記載のタービンエーロフォイル（１２２）。
［実施態様１０］
タービンセクション（１０８）と、
前記タービンセクション（１０８）の中のエーロフォイル（１２２）と
を備え、前記エーロフォイル（１２２）は、
第２の冷却流路（２１６、３１６）に流体接続された第１の冷却流路（２１２、３１２）を有する冷却流路（２１０、３１０）のセットと、
第１のピンバンク冷却装置（２２４、３２４）を有する第１のセクション（２２０、３２０）であって、前記第１のセクション（２２０、３２０）が前記第１の冷却流路（２１２、３１２）に流体接続された第１のセクション（２２０、３２０）と、
第２のピンバンク冷却装置（３３２）を有する第２のセクション（２３０、３３０）であって、前記第２のセクション（２３０、３３０）が前記第２の冷却流路（２１６、３１６）に流体接続され、前記第１のセクション（２２０、３２０）の半径方向内側にある第２のセクション（２３０、３３０）と、
第３のピンバンク冷却装置（２２４、３２４）を有する正圧側パネル（２４０、３４０）であって、前記正圧側（１５２、２０２、３０２、４０２）パネルが前記第１の冷却流路（２１２、３１２）に流体接続された正圧側パネル（２４０、３４０）と
を有する後縁（１５８）を含む、ガスタービン（１００）。
［実施態様１１］
前記第２のセクション（２３０、３３０）を前記第２の冷却流路（２１６、３１６）に流体接続する交差穴（２３６）の第１のセットをさらに備える、実施態様１０に記載のガスタービン（１００）。
［実施態様１２］
交差穴（２３６）の前記第１のセットが、前記タービンエーロフォイル（１２２）の正圧側（１５２、２０２、３０２、４０２）壁に向かって角度が付けられている、実施態様１１に記載のガスタービン（１００）。
［実施態様１３］
隆起特徴（２３８）の第１のセットであって、隆起特徴（２３８）の前記第１のセットの中の各隆起特徴が、交差穴（２３６）の前記第１のセットの中の交差穴に一致し、隆起特徴（２３８）の前記第１のセットの中の各隆起特徴が、前記タービンエーロフォイル（１２２）の負圧側（１５４、２０４、３０４、４０４）壁に向かって延在する、実施態様１１に記載のガスタービン（１００）。
［実施態様１４］
前記第２のセクション（２３０、３３０）の半径方向内側の第３のセクション（３５０）をさらに備え、前記第３のセクション（３５０）が、第４のピンバンク冷却装置（３５６）を含み、前記第２の冷却流路（２１６、３１６）に流体接続された、実施態様１０に記載のガスタービン（１００）。
［実施態様１５］
前記第３のセクション（３５０）を前記第２の冷却流路（２１６、３１６）に流体接続する交差穴（２３６）の第２のセットをさらに備える、実施態様１４に記載のガスタービン（１００）。
［実施態様１６］
交差穴（２３６）の前記第２のセットが、前記タービンエーロフォイル（１２２）の正圧側（１５２、２０２、３０２、４０２）壁に対して角度が付けられている、実施態様１４に記載のガスタービン（１００）。
［実施態様１７］
隆起特徴（２３８）の第２のセットをさらに備え、隆起特徴（２３８）の前記第２のセットの中の各隆起特徴が、交差穴（２３６）の前記第２のセットの中の交差穴に一致し、隆起特徴（２３８）の前記第２のセットの中の各隆起特徴が、前記タービンエーロフォイル（１２２）の負圧側（１５４、２０４、３０４、４０４）壁に向かって延在する、実施態様１４に記載のガスタービン（１００）。
［実施態様１８］
前記正圧側（１５２、２０２、３０２、４０２）パネルが、交差穴（２３６）の第３のセットを通じて前記第１の冷却流路（２１２、３１２）に流動的に接続される、実施態様１０に記載のガスタービン（１００）。
［実施態様１９］
第２の冷却流路（４１６）に流体接続された第１の冷却流路（４１２）を有する冷却流路（４１０）のセットと、
第１のピンバンク冷却装置（４２４）を有する第１のセクション（４２０）であって、前記第２の冷却流路（４１６）に流体接続された第１のセクション（４２０）と、
第２のピンバンク冷却装置（４４４）を有する正圧側パネル（４４０）であって、前記第１の冷却流路（４１２）に流体接続された正圧側パネル（４４０）と
を有する後縁（１５８）
を備えるタービンエーロフォイル（１２２）。
［実施態様２０］
前記正圧側パネル（４４０）が、交差穴（２３６）の第３のセットを通じて前記第１の冷却流路（４１２）に流動的に接続される、実施態様１９に記載のタービンエーロフォイル（１２２）。
【符号の説明】
【００３４】
１００  ガスタービンシステム
１０２  圧縮機
１０４  燃焼器
１０５  燃焼領域
１０６  燃焼ノズル組立体
１０８  タービン
１１０  ロータ、シャフト
１１２  ベーン小組立体
１１４  半径方向外側プラットフォーム
１１６  半径方向内側プラットフォーム
１１９  回転ブレード
１２０  ターボ機械ブレード
１２２  エーロフォイル
１２４  シャンク
１２６  プラットフォーム
１３０  カバープレート
１３２  カバープレート
１３４  天使翼
１３６  ダブテール
１３８  第１の円周面
１３９  第２の対向する円周面
１４０  プラットフォームシールピン
１４２  プラットフォームピン溝
１４４  半径方向シールピン
１４６  半径方向シールピン溝
１５２  正圧側
１５４  負圧側
１５６  前縁
１５８  後縁
２００  内側コア冷却回路
２０２  正圧側
２０４  負圧側
２０６  軸方向端部
２０８  軸方向端部
２１０  冷却流路のセット
２１２  第１の冷却流路
２１４  冷却流路
２１６  第２の冷却流路
２１８  冷却流体
２２０  第１のセクション
２２２  壁、リブ
２２４  ピンバンク冷却装置
２２６  出口
２３０  第２のセクション
２３２  第２のピンバンク冷却装置
２３４  出口
２３６  交差穴
２３８  隆起特徴
２４０  正圧側パネル
２４４  第３のピンバンク冷却装置
２４６  交差穴
２４８  出口
２５０  支持物
２５２  軸方向下流端部
２６２  軸方向外側端部
３００  冷却回路
３０２  正圧側
３０４  負圧側
３０６  軸方向上流端部
３１０  冷却流路のセット
３１２  冷却流路
３１４  冷却流路
３１６  冷却流路
３１８  冷却流体
３２０  第１のセクション
３２２  壁、リブ
３２４  ピンバンク冷却装置
３２６  出口
３３０  第２のセクション
３３２  第２のピンバンク冷却装置
３３４  出口
３４０  正圧側パネル
３４４  第３のピンバンク冷却装置
３４８  出口
３５０  第３のセクション
３５４  壁、リブ
３５６  第４のピンバンク冷却装置
３５８  出口
４００  冷却回路
４０２  正圧側
４０４  負圧側
４０６  軸方向上流端部
４０８  軸方向下流端部
４１０  冷却流路のセット
４１２  冷却流路
４１４  冷却流路
４１６  冷却流路
４１８  冷却流体
４２０  第１のセクション
４２４  第１のピンバンク冷却装置
４２６  出口
４４０  正圧側パネル
４４４  第２のピンバンク冷却装置
４４８  出口
【図１】
2017115874.tif 000003
【図２】
2017115874.tif 000004
【図３】
2017115874.tif 000005
【図４】
2017115874.tif 000006
【図５】
2017115874.tif 000007
【図６】
2017115874.tif 000008
【図７】
2017115874.tif 000009
【図８】
2017115874.tif 000010
【図９】
2017115874.tif 000011
【図１０】
2017115874.tif 000012
【図１１】
2017115874.tif 000013
【図１２】
2017115874.tif 000014
【外国語明細書】
2017115874000001.pdf